(57)【要約】【課題】ネットワーク負荷を増大させることなく、必要とする素材情報を確実に取得することを可能とする商品データベースシステムを提供する。【解決手段】商品データベースシステム１は、商品データ管理装置３及び複数の端末装置５−１、端末装置５−２、…がネットワークを介して接続されて構成される。商品データ管理装置３は、端末装置５−１が選択した選択素材について素材ＩＤリスト９１を作成する。素材ＩＤリスト９１は、端末装置５−１を介してあるいは直接他の端末装置５−２に送られる。端末装置５−２は、素材ＩＤリスト９１を商品データ管理装置３に送る。商品データ管理装置３は、素材ＩＤリスト９１に基づいて素材一覧を作成して端末装置５−２に送り、当該素材一覧から端末装置５−２が選択した素材に対応する素材画像データを抽出して端末装置５−２に送る。【選択図】図８
2008077282.tif 000002
【特許請求の範囲】
【請求項１】
少なくとも１つの端末装置と、商品情報と素材情報とを対応付けて保持する商品データ管理装置と、がネットワークを介して接続される商品データベースシステムであって、
前記商品データ管理装置は、
前記端末装置が選択した素材情報の素材ＩＤリストを作成する素材ＩＤリスト作成手段と、
前記他の端末装置から入力された前記素材ＩＤリストに基づいて前記素材情報をリスト検索するリスト検索手段と、
前記リスト検索した素材情報を前記他の端末装置に一括して送る素材情報一括送信手段と、を具備し、
前記端末装置は、
素材情報一覧から前記素材情報を選択する素材選択手段と、
前記他の端末装置に前記素材ＩＤリストを送る素材ＩＤリスト送信手段と、
前記商品データ管理装置に前記素材ＩＤリストを入力する素材ＩＤリスト入力手段と、を具備することを特徴とする商品データベースシステム。
【請求項２】
前記端末装置は、さらに、
前記素材情報一覧または前記素材ＩＤリストから選択した素材情報を登録する登録手段と、
前記登録した素材情報の一覧を閲覧する登録閲覧手段と、を具備し、
前記素材ＩＤリスト入力手段は、前記登録された素材情報の素材ＩＤリストを新たに作成して前記商品データ管理装置に入力することを特徴とする請求項１に記載の商品データベースシステム。
【請求項３】
前記素材ＩＤリスト送信手段は、前記商品データ管理装置から送られた前記素材ＩＤリストを前記他の端末装置に転送することを特徴とする請求項１または請求項２に記載の商品データベースシステム。
【請求項４】
前記素材ＩＤリスト送信手段は、前記商品データ管理装置から直接前記他の端末装置に前記素材ＩＤリストを送らせることを特徴とする請求項１または請求項２に記載の商品データベースシステム。
【請求項５】
前記素材ＩＤリストは、ＴＳＶ形式またはＣＳＶ形式のテキストデータであることを特徴とする請求項１から請求項４までのいずれかに記載の商品データベースシステム。
【請求項６】
前記素材情報一括送信手段は、前記リスト検索した素材情報に対応する画像データを一括して送ることを特徴とする請求項１から請求項５までのいずれかに記載の商品データベースシステム。
【請求項７】
少なくとも１つの端末装置にネットワークを介して接続され、商品情報と素材情報とを対応付けて保持する商品データ管理装置であって、
前記端末装置が選択した素材情報の素材ＩＤリストを作成する素材ＩＤリスト作成手段と、
前記他の端末装置から入力された前記素材ＩＤリストに基づいて前記素材情報をリスト検索するリスト検索手段と、
前記リスト検索した素材情報を前記他の端末装置に一括して送る素材情報一括送信手段と、
を具備することを特徴とする商品データ管理装置。
【請求項８】
コンピュータを請求項１から請求項７までのいずれかに記載の商品データベースシステムとして機能させるプログラム。
【請求項９】
コンピュータを請求項１から請求項７までのいずれかに記載の商品データベースシステムとして機能させるプログラムを記録したコンピュータ読取可能な記録媒体。
【発明の詳細な説明】
【技術分野】
【０００１】
本発明は、テキストデータ等の商品情報と画像データ等の素材情報とを一元管理する商品データベースシステムに関する。
【背景技術】
【０００２】
近年、商品カタログ等の印刷物に掲載される商品に関する情報は、商品データベースシステムにより一元管理される。商品データベースシステムは、テキストデータ等の商品情報のみを管理したり、画像データ等の素材情報を商品情報と関連付けて管理したりする（例えば、［特許文献１］参照。）。
商品情報は、例えば、商品型番や商品名や仕様等である。素材情報は、例えば、商品の写真や図表等のラスタ形式またはベクトル形式の画像データや販促用のＣＤ−ＲＯＭ等で配布されて活用される動画データや音声データやＰＤＦ形式等のデータファイルである。
【０００３】
【特許文献１】特開２００５−８４９７６号公報
【発明の開示】
【発明が解決しようとする課題】
【０００４】
しかしながら、素材情報の画像データは容量が大きいので、ネットワーク上でこれらの画像データが送受信されると、ネットワーク負荷が増大するという問題点がある。例えば、商品のポジ画像データは、印刷用データであるので特に容量が大きい。
一方、画像データの送受信に代えて、画像データに関する情報を伝達する場合であっても、送信側では画像データの検索及び選択を行って画像データに関する情報を受信側に伝達する必要があり、受信側では画像データに関する情報に基づいて再度検索及び選択を行って必要とする画像データを取得する必要がある。すなわち、利用者の労力的負担が増大したり、誤入力や誤操作が発生する虞があるという問題点がある。
【０００５】
本発明は、以上の問題点に鑑みてなされたものであり、ネットワーク負荷を増大させることなく、必要とする素材情報を確実に取得することを可能とする商品データベースシステムを提供することを目的とする。
【課題を解決するための手段】
【０００６】
前述した目的を達成するために第１の発明は、少なくとも１つの端末装置と、商品情報と素材情報とを対応付けて保持する商品データ管理装置と、がネットワークを介して接続される商品データベースシステムであって、前記商品データ管理装置は、前記端末装置が選択した素材情報の素材ＩＤリストを作成する素材ＩＤリスト作成手段と、前記他の端末装置から入力された前記素材ＩＤリストに基づいて前記素材情報をリスト検索するリスト検索手段と、前記リスト検索した素材情報を前記他の端末装置に一括して送る素材情報一括送信手段と、を具備し、前記端末装置は、素材情報一覧から前記素材情報を選択する素材選択手段と、前記他の端末装置に前記素材ＩＤリストを送る素材ＩＤリスト送信手段と、前記商品データ管理装置に前記素材ＩＤリストを入力する素材ＩＤリスト入力手段と、を具備することを特徴とする商品データベースシステムである。
【０００７】
商品情報は、商品に関する情報であり、例えば、商品型番や商品名や仕様である。商品情報には、主としてテキストデータが登録される。
素材情報は、商品に関連付けられる情報であり、例えば、商品の写真や図表等の画像データや動画データや音声データやＰＤＦ形式等のデータファイルである。
素材ＩＤリストは、素材情報を特定する素材コード等の符号列の一覧を含むデータである。素材ＩＤリストは、例えば、ＴＳＶ（Ｔａｂ  Ｓｅｐａｒａｔｅｄ  Ｖａｌｕｅｓ）形式またはＣＳＶ（Ｃｏｍｍａ  Ｓｅｐａｒａｔｅｄ  Ｖａｌｕｅ）形式のテキストデータである。
【０００８】
端末装置は、素材情報一覧から素材情報を選択すると、商品データ管理装置は、選択された素材情報の素材ＩＤリストを作成する。端末装置は、商品データ管理装置から素材ＩＤリストを取得して他の端末装置に転送する。端末装置は、商品データ管理装置から直接他の端末装置に素材ＩＤリストを送信させるようにしてもよい。他の端末装置は、商品データ管理装置に対して素材ＩＤリストを入力すると、商品データ管理装置は、当該素材ＩＤリストに基づいて素材情報をリスト検索し、リスト検索した素材情報に対応する素材画像データを当該他の端末装置に一括送信する。
【０００９】
第１の発明では、端末装置が他の端末装置に対して、商品データ管理装置が管理する素材画像データを指定して送る場合、端末装置は、商品データ管理装置から素材画像データではなく素材ＩＤリストを取得し、当該素材ＩＤリストを他の端末装置に送り、他の端末装置は、素材ＩＤリストを用いて商品データ管理装置から直接素材画像データを取得する。
【００１０】
これにより、送り先の端末装置は、送り元の端末装置を介することなく、商品データ管理装置から直接素材画像データを取得することができるので、ネットワーク負荷を軽減することができる。
また、送り先の端末装置は、素材ＩＤリストを入力することにより、送り元の端末装置が指定した素材画像データを一括して取得することができるので、素材毎に検索キーを入力して複数回の素材検索を行う必要がなく、操作負担を軽減することができる。
また、送り先の端末装置は、素材ＩＤリストに基づいて、送り元の端末装置が指定した素材画像データを間違いなく確実に取得することができる。
【００１１】
また、端末装置は、素材情報一覧または素材ＩＤリストから選択した素材情報を登録し、登録した素材情報の一覧を閲覧可能としてもよい。
これにより、送り元の端末装置は、選択素材一覧を確認して素材ＩＤリストの作成を商品データ管理装置に要求し、送り先の端末装置は、素材ＩＤリストに対応する素材一覧を確認して素材画像データを取得することができるので、誤選択や誤操作を防止することができる。
【００１２】
第２の発明は、少なくとも１つの端末装置にネットワークを介して接続され、商品情報と素材情報とを対応付けて保持する商品データ管理装置であって、前記端末装置が選択した素材情報の素材ＩＤリストを作成する素材ＩＤリスト作成手段と、前記他の端末装置から入力された前記素材ＩＤリストに基づいて前記素材情報をリスト検索するリスト検索手段と、前記リスト検索した素材情報を前記他の端末装置に一括して送る素材情報一括送信手段と、を具備することを特徴とする商品データ管理装置である。
【００１３】
第２の発明は、少なくとも１つの端末装置にネットワークを介して接続され、商品情報と素材情報とを対応付けて保持する商品データ管理装置に関する発明である。
【００１４】
第３の発明は、コンピュータを第１の発明の商品データベースシステムとして機能させるプログラムである。
第４の発明は、コンピュータを第１の発明の商品データベースシステムとして機能させるプログラムを記録したコンピュータ読取可能な記録媒体である。
上述のプログラムをＣＤ−ＲＯＭ等の記録媒体に保持させて流通させてもよいし、このプログラムを通信回線を介して送受することもできる。
【発明の効果】
【００１５】
本発明によれば、ネットワーク負荷を増大させることなく、必要とする素材情報を確実に取得することを可能とする商品データベースシステムを提供することができる。
【発明を実施するための最良の形態】
【００１６】
以下、添付図面を参照しながら、商品データベースシステムの好適な実施形態について詳細に説明する。尚、以下の説明及び添付図面において、略同一の機能構成を有する構成要素については、同一の符号を付することにより重複説明を省略することにする。
【００１７】
（１．商品データベースシステム１の構成）
最初に、図１を参照しながら、商品データベースシステム１の構成について説明する。
図１は、商品データベースシステム１の構成図である。
商品データベースシステム１は、商品データ管理装置３及び端末装置５がネットワーク７を介して接続されて構成される。
【００１８】
商品データ管理装置３は、サーバコンピュータ等である。商品データ管理装置３は、素材検索手段１１、素材一覧作成手段１２、素材ＩＤリスト作成手段１３、リスト検索手段１４、素材一括送信手段１５、商品情報５１及び素材情報５２及び対応テーブル５３及び素材画像データ５４を保持する記憶部３３を備える。
【００１９】
素材検索手段１１は、素材情報５２の検索を行う。素材一覧作成手段１２は、検索した素材情報５２の一覧を作成して端末装置５に送る。素材ＩＤリスト作成手段１３は、端末装置５が選択した素材情報５２に関して素材ＩＤリストを作成して端末装置５に送る。リスト検索手段１４は、素材ＩＤリストに基づいて素材情報５２のリスト検索を行う。素材一括送信手段１５は、リスト検索した素材情報５２に対応する素材画像データ５４を一括して端末装置５に送る。
【００２０】
端末装置５は、パーソナルコンピュータ等である。通常、複数の端末装置５−１、端末装置５−２、…がネットワーク７に接続される。
端末装置５は、素材検索キー入力手段２１、素材一覧表示手段２２、素材選択手段２３、素材ＩＤリスト取得手段２４、素材ＩＤリスト転送手段２５、素材ＩＤリスト入力手段２６、素材一括取得手段２７を備える。
【００２１】
素材検索キー入力手段２１は、素材情報５２の検索に用いる検索キーを入力する。検索キーは、例えば、商品ＩＤや商品名や分類やグループである。素材一覧表示手段２２は、商品データ管理装置３から送られた素材情報５２の一覧を表示する。素材選択手段２３は、素材情報５２の一覧から素材を選択する。素材ＩＤリスト取得手段２４は、商品データ管理装置３や他の端末装置５から素材ＩＤリストを取得する。素材ＩＤリスト転送手段２５は、素材ＩＤリストを他の端末装置５に転送する。素材ＩＤリスト入力手段２６は、素材情報５２のリスト検索に用いる検索キーとして、素材ＩＤリストを入力する。素材一括取得手段２７は、商品データ管理装置３から複数の素材画像データ５４を一括して取得する。
【００２２】
ネットワーク７は、インターネット、ローカルエリアネットワーク（ＬＡＮ）、社内ＬＡＮ等のネットワークであり、有線、無線を問わない。
【００２３】
（２．ハードウェア構成）
次に、図２及び図３を参照しながら、商品データ管理装置３及び端末装置５のハードウェア構成について説明する。
【００２４】
（２−１．商品データ管理装置３）
図２は、商品データ管理装置３のハードウェア構成図である。
尚、図２のハードウェア構成は一例であり、用途、目的に応じて様々な構成を採ることが可能である。
【００２５】
商品データ管理装置３は、ＣＰＵ３１、メモリ３２、記憶部３３、表示部３４、入力部３５、出力部３６、通信部３７がシステムバス３８を介して接続されて構成される。
【００２６】
ＣＰＵ３１（Ｃｅｎｔｒａｌ  Ｐｒｏｃｅｓｓｉｎｇ  Ｕｎｉｔ）は、演算処理（四則演算や比較演算等）やハードウェアやソフトウェアの動作制御を行う装置である。
【００２７】
メモリ３２は、ＲＡＭ及びＲＯＭ等のメモリである。ＲＡＭ（Ｒａｎｄｏｍ  Ａｃｃｅｓｓ  Ｍｅｍｏｒｙ）は、ＲＯＭ（Ｒｅａｄ  Ｏｎｌｙ  Ｍｅｍｏｒｙ）や記憶部３３から読み出されたＯＳ（Ｏｐｅｒａｔｉｎｇ  Ｓｙｓｔｅｍ）のプログラム、アプリケーションプログラム等を記憶する。ＲＡＭは、ＣＰＵ３１の主メモリやワークエリアとして機能する。
【００２８】
記憶部３３は、各種データを記憶する装置であり、例えば、ハードディスクである。記憶部３３は、ＣＰＵ３１が実行するプログラム、プログラム実行に必要なデータ、ＯＳ、各種データベース等が格納される。
【００２９】
表示部３４は、表示装置であり、例えば、ＣＲＴモニタ、液晶パネルである。表示部３４は、コンピュータのビデオ機能を実現するための論理回路（ビデオアダプタ等）を有する。
【００３０】
入力部３５は、各種データの入力装置であり、例えば、キーボード、マウスである。出力部３６は、各種データの出力装置であり、例えば、プリンタである。各種メディアとのデータ入出力を行うドライブ装置を入力部３５及び出力部３６として用いることもできる。
【００３１】
通信部３７は、ネットワーク７を介して外部装置と接続・通信する通信制御装置である。例えば、ＴＣＰ／ＩＰを用いたインターネット通信が可能である。
システムバス３８は、各装置間の制御信号、データ信号等の授受を媒介する経路である。
【００３２】
商品データ管理装置３は、記憶部３３やＲＯＭや記録媒体に格納されるプログラム（アプリケーションプログラム、ＯＳのプログラム等）をメモリ３２のＲＡＭにロードしてＣＰＵ３１の制御の下に、各種処理を実行する。
【００３３】
（２−２．端末装置５）
図３は、端末装置５のハードウェア構成図である。
尚、図３のハードウェア構成は一例であり、用途、目的に応じて様々な構成を採ることが可能である。
【００３４】
端末装置５は、ＣＰＵ４１、メモリ４２、記憶部４３、表示部４４、入力部４５、出力部４６、通信部４７がシステムバス４８を介して接続されて構成される。
端末装置５のハードウェア構成は、図２を用いて前述した商品データ管理装置３と同様の構成を採る。
端末装置５は、記憶部４３やＲＯＭや記録媒体に格納されるプログラム（アプリケーションプログラム、ＯＳのプログラム等）をメモリ４２のＲＡＭにロードしてＣＰＵ４１の制御の下に、各種処理を実行する。
【００３５】
（３．商品データ管理装置３が保持する情報）
（３−１．商品データ管理装置３が保持する情報）
次に、図４を参照しながら、商品データ管理装置３の記憶部３３が保持する情報について説明する。
図４は、商品データ管理装置３の記憶部３３が保持する情報を示す図である。
【００３６】
記憶部３３は、商品情報５１、素材情報５２、対応テーブル５３、複数の素材画像データ５４、ＯＳ５８、アプリケーションプログラム５９を保持する。
素材画像データ５４は、素材情報５２に対応付けられた画像データである。素材画像データ５４は、例えば、商品の画像データである。
ＯＳ５８（Ｏｐｅｒａｔｉｎｇ  Ｓｙｓｔｅｍ）は、商品データ管理装置３の各構成部分を駆動制御するプログラムである。
アプリケーションプログラム５９は、商品データ管理装置３の動作を規定する実行プログラムである。
尚、商品情報５１及び素材情報５２及び対応テーブル５３については、後述する。
【００３７】
（３−２．商品情報５１）
次に、図５を参照しながら、商品情報５１について説明する。
図５は、商品情報５１の一態様を示す図である。
商品情報５１には、主としてテキストデータが登録される。商品情報５１は、商品ＩＤ６１及び商品詳細６２の各項目を有する。
商品ＩＤ６１は、商品を特定する商品コード等の符号列である。商品ＩＤ６１は、商品情報５１の各レコード毎に異なる。
商品詳細６２は、商品に関する詳細情報を示す。商品詳細６２は、例えば、商品名、分類、価格、登録日時、更新日時、登録ユーザ名、更新ユーザ名である。
【００３８】
（３−３．素材情報５２）
次に、図６を参照しながら、素材情報５２について説明する。
図６は、素材情報５２の一態様を示す図である。
素材情報５２は、素材画像データ５４を対応付けられる。素材情報５２は、素材ＩＤ６３及び参照先６４及び素材詳細６５の各項目を有する。
素材ＩＤ６３は、素材を特定する素材コード等の符号列である。素材ＩＤ６３は、素材情報５２の各レコード毎に異なる。
参照先６４は、素材画像データ５４の所在を示す情報である。参照先６４は、例えば、素材画像データ５４のファイル名や保存場所に関する情報である。尚、１つの素材ＩＤ６３に対して、複数のフォーマットの素材画像データ５４を対応付けてもよい。例えば、１つの素材ＩＤ６３に対して、ＥＰＳ形式及びＪＰＧ形式の２種類のフォーマットの素材画像データ５４を対応付けてもよい。
素材詳細６５は、素材に関する詳細情報を示す。素材詳細６５は、例えば、素材名、分類、登録日時、更新日時、登録ユーザ名、更新ユーザ名、素材画像データの容量やフォーマットである。
【００３９】
（３−４．対応テーブル５３）
次に、図７を参照しながら、対応テーブル５３について説明する。
図７は、対応テーブル５３の一態様を示す図である。
対応テーブル５３は、商品ＩＤ６１と素材ＩＤ６３との対応を示すテーブルである。対応テーブル５３は、商品情報５１と素材情報５２とを対応付ける。
尚、必ずしも対応テーブル５３を設ける必要はない。例えば、対応テーブル５３に代えて、商品情報５１に商品ＩＤ６１と素材ＩＤ６２の両項目を設けることにより、商品情報５１と素材情報５２とをリレーションしてもよい。
【００４０】
（４．商品データベースシステム１の動作）
次に、図８〜図１３を参照しながら、商品データベースシステム１の動作について説明する。
【００４１】
図８は、商品データベースシステム１の動作を示すフローチャートである。
商品データベースシステム１は、ＷＷＷ（Ｗｏｒｌｄ  Ｗｉｄｅ  Ｗｅｂ）技術を用いて実現されるものとして説明する。商品データ管理装置３は、Ｗｅｂサーバを搭載する。端末装置５はＷｅｂブラウザを搭載する。商品データ管理装置３と端末装置５とは、それぞれ、Ｗｅｂサーバ及びＷｅｂブラウザを介してデータの送受信を行う。
【００４２】
図９は、端末装置５−１における画面７１を示す図である。
端末装置５−１のＣＰＵ４１は、画面７１を表示部４４に表示する。端末装置５−１のＣＰＵ４１は、入力部４５を介して画面７１に素材検索キー７２が入力されると、当該素材検索キー７２を商品データ管理装置３に送る（ステップ１００１）
商品データ管理装置３のＣＰＵ３１は、素材検索キー７２に基づいて素材検索を行う（ステップ１００２）。商品データ管理装置３のＣＰＵ３１は、検索結果として素材情報５２の一覧を作成し、端末装置５−１に送る（ステップ１００３）。
端末装置５−１のＣＰＵ４１は、検索結果として素材一覧７３を画面７１に表示する（ステップ１００４）。端末装置５−１のＣＰＵ４１は、入力部４５を介して素材一覧７３から素材７４を選択する（ステップ１００５）。複数の素材７４を同時に選択してもよい。素材７４の選択は、例えば、チェックボックス７５をチェックすることにより行うことができる。
【００４３】
図１０は、端末装置５−１における画面８１を示す図である。
端末装置５−１のＣＰＵ４１は、入力部４５を介して画面７１の「バスケットへ入れる」ボタン７６が指定（例えば、マウスのクリック操作）され、「バスケットを見る」ボタン７７が指定されると、画面８１を表示部４４に表示する。画面８１には、選択素材８２を示す選択素材一覧８３が表示される。
端末装置５−１のＣＰＵ４１は、入力部４５を介して画面８１の「素材ＩＤ抽出」ボタン８４が指定されると、商品データ管理装置３に対して、選択素材８２の素材ＩＤ抽出を要求する。
【００４４】
図１１は、素材ＩＤリスト９１の一態様を示す図である。
商品データ管理装置３は、選択素材８２の素材ＩＤ６３を抽出して素材ＩＤリスト９１を作成し、端末装置５−１に送る（ステップ１００６及びステップ１００７）。
素材ＩＤリスト９１は、選択素材８２の素材ＩＤ一覧９２を含むデータである。素材ＩＤリスト９１は、例えば、ＴＳＶ（Ｔａｂ  Ｓｅｐａｒａｔｅｄ  Ｖａｌｕｅｓ）形式やＣＳＶ（Ｃｏｍｍａ  Ｓｅｐａｒａｔｅｄ  Ｖａｌｕｅ）形式のテキストデータである。
【００４５】
端末装置５−１のＣＰＵ４１は、商品データ管理装置３から素材ＩＤリスト９１を取得する（ステップ１００８）。端末装置５−１のＣＰＵ４１は、素材ＩＤリスト９１を他の端末装置５−２に転送する（ステップ１００９）。端末装置５−２のＣＰＵ４１は、端末装置５−１から素材ＩＤリスト９１を取得する（ステップ１０１０）。
尚、素材ＩＤリスト９１の転送は、例えば、電子メールにより行うことができる。また、端末装置５−１のＣＰＵ４１が商品データ管理装置３に対して転送先の端末装置５−２を指定し、端末装置５−１を介さずに、商品データ管理装置３から端末装置５−２に直接、素材ＩＤリスト９１を送るようにしてもよい。
【００４６】
図１２は、端末装置５−２における画面１０１を示す図である。
端末装置５−２のＣＰＵ４１は、画面１０１を表示部４４に表示する。端末装置５−２のＣＰＵ４１は、入力部４５を介して画面１０１に素材ＩＤリスト９１が入力されると、当該素材ＩＤリスト９１を商品データ管理装置３に送る（ステップ１０１１）
商品データ管理装置３のＣＰＵ３１は、素材ＩＤリスト９１に基づいてリスト検索を行う（ステップ１０１２）。商品データ管理装置３のＣＰＵ３１は、検索結果として素材情報５２の一覧を作成し、端末装置５−２に送る（ステップ１０１３）。
端末装置５−２のＣＰＵ４１は、リスト検索結果として素材一覧１０３を画面１０１に表示する（ステップ１０１４）。端末装置５−２のＣＰＵ４１は、入力部４５を介して素材一覧１０３から素材１０４を選択する（ステップ１０１５）。複数の素材１０４を同時に選択してもよい。素材１０４の選択は、例えば、チェックボックス１０５をチェックすることにより行うことができる。
【００４７】
図１３は、端末装置５−２における画面１１１を示す図である。
端末装置５−２のＣＰＵ４１は、入力部４５を介して画面１０１の「バスケットへ入れる」ボタン１０６が指定（例えば、マウスのクリック操作）され、「バスケットを見る」ボタン１０７が指定されると、画面１１１を表示部４４に表示する。画面１１１には、選択素材１１２を示す選択素材一覧１１３が表示される。
端末装置５−２のＣＰＵ４１は、入力部４５を介して画面１１１の「素材画像データ抽出」ボタン１１４が指定されると、商品データ管理装置３に対して、選択素材１１２の素材画像データ５４の抽出を要求する。
【００４８】
尚、素材画像データ５４のフォーマットを指定可能としてもよい。素材画像データ５４のフォーマットの指定は、例えば、チェックボックス１１５をチェックすることにより行うことができる。また、１つの選択素材８２について同時に複数のフォーマットの素材画像データ５４の抽出を要求するようにしてもよい。
【００４９】
商品データ管理装置３は、選択素材１１２の素材画像データ５４を抽出し、端末装置５−２に送る（ステップ１０１６及びステップ１０１７）。尚、通信時間や通信負荷を軽減するため、素材画像データ５４を圧縮処理して送信することが望ましい。
端末装置５−２のＣＰＵ４１は、商品データ管理装置３から選択素材１１２に対応する素材画像データ５４を取得する（ステップ１０１８）。
【００５０】
以上の過程を経て、商品データ管理装置３は、端末装置５−１が選択した選択素材について素材ＩＤリストを作成する。素材ＩＤリストは、端末装置５−１を介してあるいは直接他の端末装置５−２に送られる。端末装置５−２は、素材ＩＤリストを商品データ管理装置３に送る。商品データ管理装置３は、素材ＩＤリストに基づいて素材一覧を作成して端末装置５−２に送り、当該素材一覧から端末装置５−２が選択した素材に対応する素材画像データを抽出して端末装置５−２に送る。
【００５１】
（５．効果等）
以上説明したように、本発明の実施の形態によれば、端末装置が他の端末装置に対して、商品データ管理装置が管理する素材画像データを指定して送る場合、端末装置は、商品データ管理装置から素材画像データではなく素材ＩＤリストを取得し、当該素材ＩＤリストを他の端末装置に送り、他の端末装置は、素材ＩＤリストを用いて商品データ管理装置から直接素材画像データを取得する。
【００５２】
これにより、送り先の端末装置は、送り元の端末装置を介することなく、商品データ管理装置から直接素材画像データを取得することができるので、ネットワーク負荷を軽減することができる。
また、送り先の端末装置は、素材ＩＤリストを入力することにより、送り元の端末装置が指定した素材画像データを一括して取得することができるので、素材毎に検索キーを入力して複数回の素材検索を行う必要がなく、操作負担を軽減することができる。
【００５３】
また、送り先の端末装置は、素材ＩＤリストに基づいて、送り元の端末装置が指定した素材画像データを確実に取得することができる。
また、送り元の端末装置は、選択素材一覧を確認して素材ＩＤリストの作成を商品データ管理装置に要求し、送り先の端末装置は、素材ＩＤリストに対応する素材一覧を確認して素材画像データを取得することができるので、誤選択や誤操作を防止することができる。
【００５４】
また、素材を選択して素材ＩＤリストを作成し、当該素材ＩＤリストに基づいて素材画像データを一括取得するものとして説明したが、これに限られない。商品を選択して商品ＩＤリストを作成し、当該商品ＩＤリストに基づいて選択商品に対応する素材画像データを一括取得してもよい。これにより、商品に対応付けられる複数の素材画像データを一括取得することができる。
【００５５】
以上、添付図面を参照しながら、本発明に係る商品データベースシステムの好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【図面の簡単な説明】
【００５６】
【図１】商品データベースシステム１の構成図
【図２】商品データ管理装置３のハードウェア構成図
【図３】端末装置５のハードウェア構成図
【図４】商品データ管理装置３の記憶部３３が保持する情報を示す図
【図５】商品情報５１の一態様を示す図
【図６】素材情報５２の一態様を示す図
【図７】対応テーブル５３の一態様を示す図
【図８】商品データベースシステム１の動作を示すフローチャート
【図９】端末装置５−１における画面７１を示す図
【図１０】端末装置５−１における画面８１を示す図
【図１１】素材ＩＤリスト９１の一態様を示す図
【図１２】端末装置５−２における画面１０１を示す図
【図１３】端末装置５−２における画面１１１を示す図
【符号の説明】
【００５７】
１………商品データベースシステム
３………商品データ管理装置
５………端末装置
７………ネットワーク
１１………素材検索手段
１２………素材一覧作成手段
１３………素材ＩＤリスト作成手段
１４………リスト検索手段
１５………素材一括送信手段
２１………素材検索キー入力手段
２２………素材一覧表示手段
２３………素材選択手段
２４………素材ＩＤリスト取得手段
２５………素材ＩＤリスト転送手段
２６………素材ＩＤリスト入力手段
２７………素材一括取得手段
３１、４１………ＣＰＵ
３３、４３………記憶部
３４、４４………表示部
３５、４５………入力部
５１………商品情報
５２………素材情報
５３………対応テーブル
５４………素材画像データ
６１………商品ＩＤ
６３………素材ＩＤ
６４………参照先
７１、８１………画面（端末装置５−１）
７２………素材検索キー
７３………素材一覧
７４………素材
８２………選択素材
８３………選択素材一覧
８４………「素材ＩＤ抽出」ボタン
９１………素材ＩＤリスト
９２………素材ＩＤ一覧
１０１、１１１………画面（端末装置５−２）
１０３………素材一覧
１０４………素材
１１２………選択素材
１１３………選択素材一覧
１１４………「素材画像データ抽出」ボタン
【図１】
2008077282.tif 000003
【図２】
2008077282.tif 000004
【図３】
2008077282.tif 000005
【図４】
2008077282.tif 000006
【図５】
2008077282.tif 000007
【図６】
2008077282.tif 000008
【図７】
2008077282.tif 000009
【図８】
2008077282.tif 000010
【図９】
2008077282.tif 000011
【図１０】
2008077282.tif 000012
【図１１】
2008077282.tif 000013
【図１２】
2008077282.tif 000014
【図１３】
2008077282.tif 000015